(57)【要約】【課題】使用に際してゴミを生じず、意図せぬ落下による紛失を招くことのない、ミネラル補給用補助食品の携帯手段を提供する。【解決手段】食品入り容器１は、容器１１と、容器１１に係合し容器１１の上方に設けられた開口部１１１を塞ぐキャップ１２と、容器１１に収容された食品１３と、キャップ１２の環状部１２２に取り付けられたカラビナ１４とを備える。ユーザはカラビナ１４をベルト等に取り付けて食品入り容器１を携行し、必要に応じてキャップ１２を容器１１から取り外した後、食品１３を容器１１から取り出し摂取する。その後、ユーザはキャップ１２を容器１１に取り付けて、食品入り容器１の携行を継続することができる。【選択図】図１
2010241451.tif 000002
【特許請求の範囲】
【請求項１】
一方の端部に開口部を有し、前記一方の端部に対向する他方の端部には開口部を有さない筒形状の容器と、
前記容器内に収容されたミネラル成分を含む粒状もしくは粉状の食品と、
前記一方の端部において前記容器と水密に係合し前記一方の端部の開口部を塞ぐとともに、前記容器と係合している状態で前記容器の外側に突出する環状部を有するキャップと、
を備える食品入り容器。
【請求項２】
前記環状部に取り付けられたカラビナを備える
請求項１に記載の食品入り容器。
【請求項３】
前記キャップは、前記容器に対し第１の位置と第２の位置との間を移動可能に前記容器と水密に係合し、
前記容器の側面には開口部が設けられ、
前記キャップは前記第１の位置にある時に前記容器の側面に設けられた開口部を塞ぎ、前記第２の位置にある時に前記容器の側面に設けられた開口部を塞がない
請求項１または２に記載の食品入り容器。
【請求項４】
前記筒形状の容器は、第１の部分と、前記第１の部分に対し第１の位置と第２の位置との間を移動可能に前記第１の部分と水密に係合する第２の部分とを備え、
前記第１の部分の側面には開口部が設けられ、
前記第２の部分は前記第１の位置にある時に前記第１の部分の側面に設けられた開口部を塞ぎ、前記第２の位置にある時に前記第１の部分の側面に設けられた開口部を塞がない
請求項１または２に記載の食品入り容器。
【請求項５】
前記食品は塩化ナトリウムを含むミネラル成分およびブドウ糖を含み、前記食品の全重量に対するミネラル成分の重量比が０．７乃至０．８であり、前記食品の全重量に対するブドウ糖の重量比が０．２乃至０．３である
請求項１乃至４のいずれかに記載の食品入り容器。
【発明の詳細な説明】
【技術分野】
【０００１】
本発明は、発汗等に伴い不足するミネラルを容易に補給することを可能とする技術に関する。
【背景技術】
【０００２】
スポーツや入浴等に伴う発汗により体内のミネラル、特に塩化ナトリウムが不足すると、身体が不調を訴える場合がある。特に、昨今は地球温暖化による気温の上昇の影響もあってか、夏場に熱中症にかかる人が増えており、ミネラル不足は人命を左右する深刻な事態を招くこともある。
【０００３】
ミネラルの不足を補うために広く行われていることは、ミネラル成分を含む飲料水（いわゆるスポーツドリンク）を飲むことである。しかし、スポーツドリンクはミネラル成分を含まない飲料水と比較し、飲用以外に用いることができず汎用性がなく、出先での補充も容易ではないため、例えば登山家が登山中に携帯するには不便である。
【０００４】
上記の問題を解消するため、特許文献１においては、ミネラル補給用補助食品を携帯するためのパックが提案されている。特許文献１に提案のパックは、脱水され粉状または粒状にされた黒糖と海塩の混合物であるミネラル補給用補助食品をアルミシートにてシールしたものである。このパックは携帯に便利であり、ユーザがミネラルを補給したい場合、シールされたパックの一部を切開してミネラル補給用補助食品を取り出せるため、便利である。すなわち、特許文献１に提案のパックによれば、ユーザは、例えば山小屋でペットボトル等に詰めた飲料水とパックから取り出したミネラル補給用補助食品とを摂取することにより、スポーツドリンクを持ち歩くことなく、ミネラル成分の補給を容易に行うことができる。
【先行技術文献】
【特許文献】
【０００５】
【特許文献１】実用新案登録第３１３０３８２号公報
【発明の概要】
【発明が解決しようとする課題】
【０００６】
特許文献１において提案されているパックによる場合、使用済みのアルミシートのパックがゴミとなり、資源の有効利用の観点から望ましくない。また、例えば、心ない登山家が登山中に使用した後のパックを山中に捨てると、山の自然環境の悪化につながる。さらに、携帯していた未使用のパックが意図せずポケット等から落下し、必要とする時にパックが見つからないという事態に陥る可能性もある。
【０００７】
上記の課題に鑑み、本発明は使用に際してゴミを生じず、意図せぬ落下による紛失を招くことのない、ミネラル補給用補助食品の携帯手段を提供することを目的とする。
【課題を解決するための手段】
【０００８】
上記課題を達成するために、本発明は、
一方の端部に開口部を有し、前記一方の端部に対向する他方の端部には開口部を有さない筒形状の容器と、
前記容器内に収容されたミネラル成分を含む粒状もしくは粉状の食品と、
前記一方の端部において前記容器と水密に係合し前記一方の端部の開口部を塞ぐとともに、前記容器と係合している状態で前記容器の外側に突出する環状部を有するキャップと、
を備える食品入り容器
を提供する（第１の実施態様）。
【０００９】
上記第１の実施態様の好ましい態様において、
前記食品入り容器は、前記環状部に取り付けられたカラビナを備える
構成としてもよい（第２の実施態様）。
【００１０】
上記第１もしくは第２の実施態様の好ましい態様において、
前記キャップは、前記容器に対し第１の位置と第２の位置との間を移動可能に前記容器と水密に係合し、
前記容器の側面には開口部が設けられ、
前記キャップは前記第１の位置にある時に前記容器の側面に設けられた開口部を塞ぎ、前記第２の位置にある時に前記容器の側面に設けられた開口部を塞がない
構成としてもよい（第３の実施態様）。
【００１１】
上記第１もしくは第２の実施態様の好ましい態様において、
前記筒形状の容器は、第１の部分と、前記第１の部分に対し第１の位置と第２の位置との間を移動可能に前記第１の部分と水密に係合する第２の部分とを備え、
前記第１の部分の側面には開口部が設けられ、
前記第２の部分は前記第１の位置にある時に前記第１の部分の側面に設けられた開口部を塞ぎ、前記第２の位置にある時に前記第１の部分の側面に設けられた開口部を塞がない
構成としてもよい（第４の実施態様）。
【００１２】
上記のいずれかの食品入り容器において、
前記食品は塩化ナトリウムを含むミネラル成分およびブドウ糖を含み、前記食品の全重量に対するミネラル成分の重量比が０．７乃至０．８であり、前記食品の全重量に対するブドウ糖の重量比が０．２乃至０．３である
構成としてもよい（第５の実施態様）。
【発明の効果】
【００１３】
本発明の第１の実施態様によれば、ユーザはキャップに設けられた環状部に、例えば紐を通してその紐をベルト等に結びつけることで、ミネラル成分を含む食品を容易に携帯可能である。その場合、食品が意図せず落下して紛失することはない。また、例えば、キャップと容器との係合を解くことにより、ユーザは容器から食品を取り出し体内に補給することができる。その後、再びキャップと容器を係合させることにより、ゴミを生じることなく、残った食品の携帯を継続することができる。
【００１４】
本発明の第２の実施態様によれば、ユーザはカラビナをベルト等に引っかけることにより、ミネラル成分を含む食品を容易に携帯可能である。また、例えば食品の摂取に際し、カラビナをベルト等から取り外す必要が生じた場合にも、その取り外しに困難が伴わない。
【００１５】
本発明の第３の実施態様によれば、ユーザは、キャップを容器と係合させつつ容器に対しスライド等させて容器の側面に設けられた開口部を外部に対し開放することにより、キャップと容器との係合を解くことなく容器から食品を取り出すことができる。
【００１６】
本発明の第４の実施態様によれば、ユーザは、容器が備える可動蓋部を容器の本体に対しスライド等させて容器の本体側面に設けられた開口部を外部に対し開放することにより、キャップと容器との係合を解くことなく容器から食品を取り出すことができる。
【００１７】
本発明の第５の実施態様によれば、ユーザは塩化ナトリウムを含むミネラル成分を摂取できるため、発汗等による体内のミネラル成分の不足、特に塩化ナトリウムの不足を補うことができ、熱中症等の予防を容易に行うことができる。その際、塩化ナトリウムの塩っ辛さがブドウ糖の甘味により和らげられるため、ユーザはさほどの抵抗感なくミネラル補給用食品を摂取できる。さらに、ブドウ糖は脳が唯一吸収できる栄養素であると同時に筋肉において短時間でエネルギーに変換されるため、例えば暑さで朦朧としたユーザの頭を働かせるとともに筋肉にも活力を与える。従って、本発明の第５の実施態様によれば、事故の予防と作業効率の向上ももたらされる。
【図面の簡単な説明】
【００１８】
【図１】図１は、本発明の第１実施形態にかかる食品入り容器を示した図である。
【図２】図２は、本発明の第２実施形態にかかる食品入り容器を示した図である。
【図３】図３は、本発明の第３実施形態にかかる食品入り容器を示した図である。
【図４】図４は、本発明の第３実施形態にかかる食品入り容器の本体を構成する２つの部分の係合の様子を説明するための図である。
【発明を実施するための形態】
【００１９】
［１．第１実施形態］
図１は、本発明の第１実施形態にかかる食品入り容器１を示した図である。図１（ａ）は食品入り容器１を正面から見た外観図を示している。図１（ｂ）は食品入り容器１を側面から見た外観図を示している。図１（ｃ）は図１（ｂ）の破線位置における食品入り容器１の断面図を示している。
【００２０】
食品入り容器１は容器１１と、キャップ１２と、容器１１に収容された食品１３と、カラビナ１４とを備えている。ただし、図１（ｃ）において、カラビナ１４は図示を省略している。
【００２１】
容器１１は図１における上方の端部に開口部１１１を有する筒形状であり、上方の端部付近の外側面にはねじ山が切られている。キャップ１２は図１における下方に開口部１２１を有し、下方付近の内側面にねじ溝が切られている。
【００２２】
容器１１のねじ山とキャップ１２のねじ溝とは、容器１１に対しキャップ１２を押し当てて図１の上方から見て時計回りにねじ込むことにより互いに水密に係合する。また、容器１１とキャップ１２が係合している状態で、容器１１に対しキャップ１２を図１の上方から見て反時計回りにねじることにより、互いの係合が解かれる。
【００２３】
なお、キャップ１２に設けられているねじ溝は、広く市場に出回っている飲料容器としてのペットボトルの開口部付近に設けられているねじ山と係合するサイズおよび形状であり、ユーザはキャップ１２に、容器１１に代えてペットボトルを取り付け、必要なものの携帯に流用することもできる。
【００２４】
キャップ１２には、容器１１と係合した状態で容器１１の外側に位置する部分に環状部１２２が設けられている。環状部１２２にはカラビナ１４が取り付けられている。
【００２５】
食品１３は、粒状もしくは粉状のヒマラヤ岩塩とブドウ糖の混合物である。食品１３に含まれるヒマラヤ岩塩の食品１３全体に対する重量比は約７５％（７０〜８０％）であり、食品１３に含まれるブドウ糖の食品１３全体に対する重量比は約２５％（３０〜２０％）である。なお、食品１３は、ヒマラヤ岩塩に代えて、複数種類のミネラル成分を含む他の自然塩を含むようにしてもよい。また、多様なミネラル成分を含む点で自然塩は精製塩よりも優れているが、熱中症の予防等に最も重要であるのは塩化ナトリウムであるため、食品１３は、自然塩に代えてコスト等の点で優れる精製塩を含むようにしてもよい。
【００２６】
ユーザは、食品１３が収容された容器１１と係合したキャップ１２の環状部１２２に取り付けられたカラビナ１４を、例えばベルトに取り付けて携帯する。ユーザは食品の摂取をしたいと思うと、カラビナ１４をベルト等から取り外し、キャップ１２を容器１１に対し反時計回りにねじって係合を解いて、容器１１の開口部１１１から容器１１に収容されている食品を適量取り出し摂取する。摂取が終わると、ユーザはキャップ１２を容器１１に対し時計回りにねじ込んで再び係合させた後、カラビナ１４をベルト等に取り付け、その後の携帯を継続する。
【００２７】
上記のように、食品入り容器１によれば、ユーザはカラビナ１４をベルト等に取り付けるだけで食品１３を携帯することができ、摂取のために食品１３を容器１１から取り出したいと思う場合はカラビナ１４をベルト等から取り外し、キャップ１２を容器１１から取り外すだけでよい。その後、ユーザがキャップ１２を容器１１に取り付け、カラビナ１４をベルト等に取り付ければ、ゴミを出すことなく食品１３の携帯を継続することができる。また、容器１１とキャップ１２は水密に係合するため、食品１３の携帯中に雨や汗等により食品１３が湿気を帯びたり濡れたりすることはない。また、カラビナ１４が正しくベルト等に取り付けられている限り、食品１３がユーザの意図せぬ間に落下等することはない。
【００２８】
なお、容器１１内の食品１３がユーザの摂取に伴い少なくなると、ユーザは例えば樹脂製可撓性フィルムパックに収容された形で販売されるリフィル用の食品１３を購入し、食品１３を開口部１１１から容器１１に補充することができる。
【００２９】
［２．第２実施形態］
図２は、本発明の第２実施形態にかかる食品入り容器２を示した図である。図２において、食品入り容器２が備える構成部のうち食品入り容器１と共通するものには図１において用いられている符号と同じ符号が用いられている。図２  （ａ）は食品入り容器２の断面図を示している。図２（ｂ）は食品入り容器２の容器１１の側面に設けられた開口部１１２がキャップ１２により塞がれ、容器１１の内部と外部が通じていない状態（以下、「閉状態」と呼ぶ）の食品入り容器２の外観図を示している。図２（ｃ）は開口部１１２を介して容器１１の内部と外部が通じている状態（以下、「開状態」と呼ぶ）の食品入り容器２の外観図を示している。なお、図２において食品１３およびカラビナ１４は図示を省略している。
【００３０】
食品入り容器２の構成は食品入り容器１と以下に述べる点を除き共通している。以下に食品入り容器２が食品入り容器１と異なる点のみを説明する。
【００３１】
食品入り容器２が備える容器１１には、円筒状の容器１１の上方のキャップ１２と係合するねじ山が切られている側面の一部に開口部１１２が設けられている。容器１１に対しキャップ１２を完全にねじ込むと、図２（ｂ）に示される閉状態となる。閉状態においては、キャップ１２により開口部１１１と開口部１１２の両方が完全に塞がれる。そのため、容器１１に収容されている食品１３は外部の湿気等から保護される一方、ユーザは閉状態において食品１３を容器１１から取り出すことはできない。
【００３２】
ユーザが容器１１に収容されている食品１３を取り出したい場合、食品入り容器１の場合と同じようにキャップ１２を容器１１から完全に取り外し、開口部１１１から食品１３を取り出してもよいが、食品入り容器２においては、キャップ１２を容器１１に対し反時計回りにねじってゆき、開口部１１２が外部に露出したところ、すなわち図２（ｃ）に示される開状態になったところでねじるのを止めて、開口部１１２から食品１３を取り出してもよい。
【００３３】
開状態において、キャップ１２は容器１１との間でなお係合を維持しているため、容器１１の開口部１１１はキャップ１２により塞がれている。食品入り容器２によれば、ユーザが食品１３の取り出しを終えて再度、容器１１に対しキャップ１２を閉める際、容器１１とキャップ１２との係合位置を合わせる手間を要せず便利である。また、ユーザが食品１３を取り出す際、容器１１とキャップ１２がばらばらにならず、カラビナ１４の取り付けられたキャップ１２をうっかり落としてしまうといった不都合が生じない。
【００３４】
［３．第３実施形態］
図３は、本発明の第３実施形態にかかる食品入り容器３を示した図である。図３において、食品入り容器３が備える構成部のうち食品入り容器１と共通するものには図１において用いられている符号と同じ符号が用いられている。図３（ａ）は食品入り容器３の断面図を示している。図３（ｂ）は食品入り容器３の容器１１の第１部分１１３の側面に設けられた開口部１１３２が容器１１の第２部分１１４により塞がれ、容器１１の内部と外部が通じていない状態（以下、「閉状態」と呼ぶ）の食品入り容器２の外観図を示している。図３（ｃ）は開口部１１３２を介して容器１１の内部と外部が通じている状態（以下、「開状態」と呼ぶ）の食品入り容器３の外観図を示している。なお、図３において食品１３およびカラビナ１４は図示を省略している。
【００３５】
食品入り容器３の構成は食品入り容器１と以下に述べる点を除き共通している。以下に食品入り容器３が食品入り容器１と異なる点のみを説明する。
【００３６】
食品入り容器３が備える容器１１は、２つの部分、すなわち第１部分１１３と第２部分１１４とにより構成されている。第１部分１１３は容器１１の開口部１１１側の部分、すなわち図３における上方を構成する部分であり、開口部１１１に対向する位置に開口部１１３１を有している。第１部分１１３には、さらに、側面に開口部１１３２が設けられている。開口部１１３２は食品入り容器２における開口部１１２に相当し、開状態において食品１３の取り出しに用いられる。第１部分１１３の開口部１１３１を取り巻く縁部には、第１部分１１３の円筒状の本体から外側に突出するように、例えば２つの突起部、すなわち突起部１１３３−１および突起部１１３３−２が設けられている。
【００３７】
第２部分１１４は図３における容器１１の下方を構成する部分であり、図３の上方に開口部１１４１を有している。なお、第２部分１１４の開口部１１４１に対向する部分は開口していない。第２部分１１４の開口部１１４１を取り巻く縁部には、第２部分１１４の円筒状の本体から内側に突出するように、環状の突起部１１４２が設けられている。
【００３８】
第２部分１１４の図３における上方の側面内側には、突起部１１４２の下面に接するように、環状のパッキン１１４３が取り付けられている。パッキン１１４３は例えば合成ゴム等の弾性体であり、第１部分１１３と第２部分１１４とが互いに係合した際に、それらを互いに移動可能としつつ、容器１１の内側を外側に対し水密に封止する役割を果たす。
【００３９】
第２部分１１４の側面内側には、第２部分１１４に対する第１部分１１３の移動に伴いパッキン１１４３が移動しないように、パッキン１１４３の下方に接するように、第２部分１１４の円筒状の本体から内側に突出するように、環状の突起部１１４４が設けられている。
【００４０】
第２部分１１４の側面内側の突起部１１４４から開口部１１３２の図３における上下方向の径とほぼ等しい距離だけ下方の位置には、第２部分１１４が第１部分１１３に対し上方にスライドされる際に、不必要に上方にスライドされないためのストッパーの役割を果たす環状の突起部１１４５が、円筒状の本体から内側に突出するように設けられている。
【００４１】
第２部分１１４は、例えば、モールド成型により一体成形された突起部１１４２、突起部１１４４および突起部１１４５を備える本体に対し、突起部１１４２と突起部１１４４の間の位置にパッキン１１４３をはめ込むことにより製造される。
【００４２】
図４は、第１部分１１３の突起部１１３３と第２部分１１４の突起部１１４２とが互いに係合する仕組みを示す図である。図４（ａ）は第１部分１１３を図３の下方から見た図を示し、図４（ｂ）は第２部分１１４を図３の上方から見た図を示す。
【００４３】
まず、第１部分１１３の本体の外径は、第２部分１１４の突起部１１４２の内径よりごく僅かに小さい。第２部分１１４の突起部１１４２には、２つの切り欠、すなわち切り欠１１４２１−１および切り欠１１４２１−２が設けられている。第２部分１１４の切り欠１１４２１−１および切り欠１１４２１−２は、それぞれ、第１部分１１３の突起部１１３３−１および突起部１１３３−２が通過する位置に設けられている。図４（ｂ）においては見えないが、第２部分１１４の突起部１１４４にも、突起部１１４２と同様の位置に切り欠が設けられている。
【００４４】
そのため、第１部分１１３の下方部を第２部分１１４の上方部に差し込み、第１部分１１３の突起部１１４２が第２部分１１４の突起部１１４４より下方に至るまで押し込んだ後、第２部分１１４に対し第１部分１１３を時計回りもしくは反時計回りに少々回転させることにより、第１部分１１３と第２部分１１４が係合される。
【００４５】
パッキン１１４３の内径は突起部１１４２の内径より僅かに大きく、第１部分１１３の本体の外径よりごく僅かに小さい。そのため、パッキン１１４３は、第１部分１１３と第２部分１１４とが係合された状態において第１部分１１３の外側と第２部分１１４の内側に挟まれ、第１部分１１３と第２部分１１４との接合部を水密に封止する。なお、パッキン１１４３は弾性体であるため、第１部分１１３が第２部分１１４に差し込まれる際には第１部分１１３の突起部１１３３−１および突起部１１３３−２により一時的に押しのけられるが、その後、元の形状を回復し、上記の水密封止を維持する。
【００４６】
ユーザは、閉位置、すなわち第１部分１１３を第２部分１１４に深く差し込んだ状態で食品入り容器３を携帯する。そして、食品１３を摂取したい場合、ユーザは第２部分１１４を第１部分１１３に対し下に下げるように引き、開状態にする。開状態においては開口部１１３２が露出し、容器１１の内部と外部が開口部１１３２を介して通じるため、ユーザは開口部１１３２から食品１３を取り出すことができる。ユーザはその後、再度、第２部分１１４を第１部分１１３に対し押し上げる、言い換えれば第１部分１１３を第２部分１１４に押し込むことにより、食品入り容器３を閉状態とし、その後の携帯を継続することができる。
【００４７】
上記のように、食品入り容器３によれば、食品入り容器２による利便性に加え、ユーザが容器１１の押し引きにより閉状態と開状態とを切り替え、容易に食品１３の取り出しを行うことができる、という利便性が得られる。
【００４８】
［４．変形例］
上述した実施形態は本発明の技術的思想の範囲内で様々に変形可能である。以下にそのような変形例を示す。
【００４９】
上述した実施形態においては、容器１１とキャップ１２との係合はねじ山とねじ溝との組み合わせにより行われるものとしたが、それに限られず、水密封止を可能とする係合方法であればいずれの方法が採用されてもよい。例えば、容器１１の弾性率より高い弾性率を有する素材で作られ、容器１１の係合部の外径よりもやや小さい内径を持つキャップ１２に対し容器１１を押し込むことにより容器１１とキャップ１２とを水密に係合させる構成としてもよい。
【００５０】
上述した第３実施形態においては、容器１１の本体を第１部分１１３と第２部分１１４とにより構成するものとし、容器１１の筒形状の軸と平行の方向に第１部分１１３と第２部分１１４との位置関係を移動させる（スライドさせる）ことにより、閉状態と開状態とを切り替えるものとした。本発明はそれに限られず、例えば、容器１１の筒形状の軸を中心に、第１部分１１３と第２部分１１４との位置関係を回転移動させることにより、閉状態と開状態とを切り替える構成としてもよい。
【００５１】
また、容器１１の本体を２つの部分に分割することなく、容器１１の側面に設けられた開口部を水密に塞ぐための可動蓋部を設け、当該可動蓋部を開閉することにより食品入り容器３の開状態と閉状態とを切り替える構成としてもよい。
【００５２】
また、上述した第３実施形態における開口部１１３２の位置は任意に変更可能である。例えば、第１部分１１３にではなく第２部分１１４に開口部１１３２を設け、第１部分１１３の側面により開口部１１３２を塞ぐ構成としてもよい。
【００５３】
また、上述した第３実施形態における第１部分１１３と第２部分１１４との係合方法も水密封止可能な方法であればいずれの方法が採用されてもよい。例えば、第１部分１１３の外側側面および第２部分１１４の内側側面に各々、ねじ山およびねじ谷を設け、第２実施形態における食品入り容器２の容器１１とキャップ１２との係合と同様の係合を行わせる構成としてもよい。
【産業上の利用可能性】
【００５４】
本発明の食品入り容器は、ミネラル補給のための食品を容易に携行可能とするため、出先でのミネラル補給を要する全ての者にとって利用可能である。
【符号の説明】
【００５５】
１…食品入り容器、２…食品入り容器、３…食品入り容器、１１…容器、１２…キャップ、１３…食品、１４…カラビナ、１１１…開口部、１１２…開口部、１１３…第１部分、１１４…第２部分、１２１…開口部、１２２…環状部、１１３１…開口部、１１３２…開口部、１１３３…突起部、１１４１…開口部、１１４２…突起部、１１４３…パッキン、１１４４…突起部、１１４５…突起部、１１４２１…切り欠。
【図１】
2010241451.tif 000003
【図２】
2010241451.tif 000004
【図３】
2010241451.tif 000005
【図４】
2010241451.tif 000006